(57)【要約】  本明細書に記述されるシステム及び方法では、ユーザは、ネットワークテレビ上にコンテンツと共に表示されたインセンティブをユーザと関連するデジタルウォレットに追加できる。ユーザは、ネットワークテレビと通信するリモートコントロールを用いて、又はネットワークテレビと直接通信し得るかネットワークを介してネットワークテレビと通信し得るその携帯装置を用いて、表示されたインセンティブを選択できてもよい。デジタルウォレットに格納するために、表示されたインセンティブをユーザが選択した場合、ユーザは、デジタルウォレットと関連するプロバイダへの認証を促されてもよく、認証は、リモートコントロールを用いてネットワークテレビを通じて行なわれてもよい。インセンティブは、ユーザのデジタルウォレットにその後追加されてもよく、ユーザがデジタルウォレットを用いてトランザクションを実行する場合に使用又は適用されてもよい。【選択図】図１
2016524199.tif 000002
【特許請求の範囲】
【請求項１】
テレビ上でユーザが見たインセンティブであるインセンティブを前記ユーザのアカウントと関連するデジタルウォレットに格納するための要求を受信することに応じて、認証要求を準備し、
認証応答が成功した場合に前記インセンティブを前記デジタルウォレットに格納する
ように構成された１つ以上のプロセッサと、
ネットワークを介して、前記認証応答を送信し、前記インセンティブ及び前記認証応答を格納するための前記要求を受信するように構成されたネットワークインタフェースコンポーネントと、
前記ユーザと関連する前記デジタルウォレットを格納するメモリと
を含む、システム。
【請求項２】
前記ネットワークインタフェースコンポーネントは、前記インセンティブを格納するための前記要求と共にインセンティブの細部を受信するように更に構成される、請求項１に記載のシステム。
【請求項３】
前記ネットワークインタフェースコンポーネントは、前記認証応答と共にインセンティブの細部を受信するように更に構成される、請求項１に記載のシステム。
【請求項４】
前記１つ以上のプロセッサは、前記インセンティブと関連し前記インセンティブ及び前記認証応答を格納するための前記要求の少なくとも１つに含まれる情報から、インセンティブの細部を判定するように構成される、請求項１に記載のシステム。
【請求項５】
前記１つ以上のプロセッサは、前記インセンティブと関連する前記情報に基づいて前記インセンティブの細部に対する要求を生成し、前記要求に応じて前記インセンティブの細部を受信することによって、前記インセンティブの細部を判定するように構成される、請求項４に記載のシステム。
【請求項６】
前記ネットワークインタフェースコンポーネントは更に、前記インセンティブの細部に対する前記要求を前記ネットワークを介して送信し、前記要求に対する前記応答を受信するように構成される、請求項５に記載のシステム。
【請求項７】
前記１つ以上のプロセッサは、前記インセンティブが前記デジタルウォレットに格納された場合に、前記インセンティブが前記デジタルウォレットに格納されたという情報を提供する更新情報を生成するように更に構成され、
前記ネットワークインタフェースコンポーネントは、前記更新情報を前記ユーザと関連する装置に前記ネットワークを介して送信するように更に構成される、
請求項１に記載のシステム。
【請求項８】
前記ネットワークインタフェースコンポーネントは、格納された前記インセンティブを使用するための要求を受信するように更に構成され、
前記１つ以上のプロセッサは、前記システムにより処理される前記ユーザに対するトランザクションに前記インセンティブを適用するように更に構成される、
請求項１に記載のシステム。
【請求項９】
サーバの１つ以上のプロセッサにより実行される場合に、
テレビ上でユーザが見たインセンティブであるインセンティブを前記ユーザのアカウントと関連するデジタルウォレットに格納するための要求をネットワークを介して前記テレビから受信し、
認証要求を前記ネットワークを介して前記テレビに送信し、
認証応答を受信し、
受信された前記認証応答が成功した場合に前記インセンティブを前記デジタルウォレットに格納し、
前記インセンティブが前記デジタルウォレットに格納された場合に前記ユーザに通知を送信すること
を含む方法を前記サーバに実行させる命令を含む、コンピュータ可読媒体。
【請求項１０】
トランザクションが処理される場合に、格納された前記インセンティブを適用することを更に含む、請求項９に記載のコンピュータ可読媒体。
【請求項１１】
前記要求を前記ネットワークを介して前記テレビから受信することは、前記要求と共にインセンティブの細部を受信することを含む、請求項９に記載のコンピュータ可読媒体。
【請求項１２】
前記認証応答を受信することは、前記応答と共にインセンティブの細部を受信することを含む、請求項９に記載のコンピュータ可読媒体。
【請求項１３】
前記インセンティブ及び前記認証応答を格納するための前記要求の少なくとも１つに含まれる前記インセンティブと関連する情報からインセンティブの細部を判定することを更に含む、請求項９に記載のコンピュータ可読媒体。
【請求項１４】
インセンティブの細部を判定することは、
前記インセンティブと関連する前記情報に基づいてインセンティブの細部に対する要求を前記ネットワークを介して送信し、
前記インセンティブの細部を含む応答を受信すること
を含む、請求項１３に記載のコンピュータ可読媒体。
【請求項１５】
認証応答を受信することは認証情報を受信することを含み、前記認証は、受信された認証情報が格納された認証情報に一致した場合に成功する、請求項９に記載のコンピュータ可読媒体。
【請求項１６】
受信された前記認証情報は、ユーザ識別子、パスワード、及び個人識別番号（ＰＩＮ）の内の少なくとも１つを含む、請求項１５に記載のコンピュータ可読媒体。
【請求項１７】
前記認証情報は、前記テレビを通じて前記ユーザにより入力される、請求項１６に記載のコンピュータ可読媒体。
【請求項１８】
前記認証情報は、前記テレビと通信するリモートコントロールを用いて、前記テレビを通じて前記ユーザにより入力される、請求項１７に記載のコンピュータ可読媒体。
【請求項１９】
サービスプロバイダと関連するサーバの１つ以上のプロセッサにより実行される場合に、
テレビ上に存在するインセンティブを請求するための要求をネットワークを介して前記テレビから受信し、
前記テレビを通じてユーザにより入力された前記ユーザの認証情報を受信し、
受信した前記ユーザの認証情報が前記サービスプロバイダと関連するユーザの認証情報に一致した場合に前記サービスプロバイダと関連するユーザアカウントに前記インセンティブを格納すること
を含む方法を前記サーバに実行させる命令を含む、コンピュータ可読媒体。
【請求項２０】
前記ユーザアカウントと関連するデジタルウォレットに前記インセンティブを格納することを更に含み、ユーザの認証情報を受信することは、前記テレビと通信するリモートコントロールを用いて前記ユーザにより入力されたユーザの認証情報を受信することを含む、請求項１９に記載のコンピュータ可読媒体。
【発明の詳細な説明】
【技術分野】
【０００１】
このＰＣＴ出願は、２０１３年３月２７日出願の米国仮特許出願番号６１／８０５，８９４に対する優先権を主張する２０１４年３月２７日出願の米国特許出願番号１４／２２７，９２０に対する優先権を主張しかつ該特許出願の継続であり、それらの特許出願の開示は、それらの全体が参照により本明細書に組み込まれる。
【０００２】
本明細書で開示される実施形態は、ネットワーク又は“スマート”テレビ上に表示されたインセンティブの請求に関する。
【背景技術】
【０００３】
アプリケーションを実行しネットワークを介してデータを受信する能力があり得る 任意のテレビを言い表す名前である、“スマート”又はネットワークテレビ（networked television）は、ユーザがコンテンツをそれを通じて購入し得る別の装置をもたらす使用を増加させている 。また、ネットワークテレビは、提供（offer）又は広告の形式でインセンティブが与えられ得る更なる視聴者をもたらす。ネットワークテレビを見ているユーザが関心のあるインセンティブを目にした場合、ユーザは、インセンティブを請求（claim）及び使用するために、インセンティブと関連するウェブサイトにアクセスするための携帯装置又はデスクトップコンピュータを使用する必要が現在はあり得る。インセンティブの請求及び使用を可能にするために必要とされる更なるステップに起因して、ユーザは、インセンティブに対する行動をやめるかもしれず、それは、インセンティブの購入、準備、及び表示に関わるより低い費用対効果につながり得る。更に、多くのインセンティブは、その使用を可能にするために、インセンティブ又はインセンティブと関連するＥメールのプリントアウトをユーザに要求し得、プリントアウトは、インセンティブを請求及び使用するためにユーザが取らなければならない別のステップである。
【図面の簡単な説明】
【０００４】
【図１】幾つかの実施形態と調和する（consistent with）ネットワークシステムのブロック図である。
【図２】幾つかの実施形態と調和するコンピューティングシステムを示す図である。
【図３Ａ】幾つかの実施形態と調和する、ユーザと関連するデジタルウォレットに追加するためにネットワークテレビ上に表示されたインセンティブをユーザが選択することを説明する例図である。
【図３Ｂ】幾つかの実施形態と調和する、ユーザと関連するデジタルウォレットに追加するためにネットワークテレビ上に表示されたインセンティブをユーザが選択することを説明する例図である。
【図３Ｃ】幾つかの実施形態と調和する、ユーザと関連するデジタルウォレットに追加するためにネットワークテレビ上に表示されたインセンティブをユーザが選択することを説明する例図である。
【図４】幾つかの実施形態と調和する、ネットワークテレビ上でユーザが見たインセンティブをユーザと関連するデジタルウォレットに追加するフローを示す図である。
【図５】幾つかの実施形態と調和する、ユーザと関連するデジタルウォレットにインセンティブを格納するための処理を示すフローチャートである。
【図６】幾つかの実施形態と調和する、ユーザと関連するデジタルウォレットにインセンティブを格納するための処理を示すフローチャートである。
【発明を実施するための形態】
【０００５】
以下の記述において、幾つかの実施形態を記述する具体的詳細が示される。しかしながら、開示された実施形態がこれらの具体的詳細の一部又は全てなしに実施されてもよいことは当業者には明らかであろう。提示された特定の実施形態は、例示であって限定を意図しない。本明細書には特に記載されないが、この開示の範囲及び精神の範囲内にあるその他の素材を当業者であれば気付き得る。
【０００６】
スマート又はネットワークテレビ上に表示されたインセンティブをユーザがリモートコントロールを用いて該テレビを通じて請求でき、請求したインセンティブを格納してその後使用する手段をユーザに提供するためのシステム及び方法の必要性がある。
【０００７】
幾つかの実施形態と調和して、システムが提供される。システムは、ユーザがテレビ上で見たインセンティブであるインセンティブをユーザアカウントと関連するデジタルウォレットに格納するための要求の受信に応じて認証要求を準備し、認証応答が成功した場合にインセンティブをデジタルウォレットに格納するように構成された１つ以上のプロセッサを含む。システムはまた、ネットワークを介して、認証応答を送信し、インセンティブ及び認証応答を格納するための要求を受信するように構成されたネットワークインタフェースコンポーネントと、ユーザと関連するデジタルウォレットを格納するメモリとを含む。
【０００８】
幾つかの実施形態と調和して、方法が提供される。方法は、ユーザがテレビ上で見たインセンティブであるインセンティブをユーザアカウントと関連するデジタルウォレットに格納するための要求をネットワークを介してテレビから受信し、認証要求をネットワークを介してテレビに送信し、認証応答を受信し、受信した認証応答が成功した場合にインセンティブをデジタルウォレットに格納し、インセンティブがデジタルウォレットに格納された場合に通知をユーザに送信するステップを含む。方法は、コンピュータ可読媒体に具体化されてもよい。
【０００９】
幾つかの実施形態と調和して、テレビ上に存在するインセンティブを請求するための要求をネットワークを介してテレビから受信し、ユーザにより入力されたユーザ認証情報をテレビを通じて受信し、受信したユーザ認証情報がサービスプロバイダと関連するユーザ認証情報に一致した場合にサービスプロバイダと関連するユーザアカウントにインセンティブを格納するステップを含む方法が更に提供される。方法は、コンピュータ可読媒体に具体化されてもよい。
【００１０】
この開示と調和する実施形態では、ユーザが、リモートコントロールを用いてインセンティブをネットワークテレビを通じて請求でき、ユーザがインセンティブをそれを通じてその後使用又は引き換えできるサービスプロバイダと関連するデジタルウォレット又はその他のアカウントにインセンティブを追加できるようにするシステム及び方法が提供されてもよい。
【００１１】
図１は、幾つかの実施形態と調和するネットワークシステム１００のブロック図である。システム１００は、クライアントコンピューティングデバイス１０２と、リモートサーバ１０４と、ネットワークテレビ１０６と、広告、提供、及びその他のインセンティブを格納するインセンティブサーバ１０８とを含む。システム１００はコンテンツプロバイダ１１２をも含んでもよく、該コンテンツプロバイダ１１２は、ネットワーク１１０を介して、又は衛星、ケーブル、若しくはネットワークテレビといったテレビにコンテンツが提供され得るその他の通信プロトコルを通じてネットワークテレビ１０６と通信してもよい。ユーザ１１４はクライアントコンピューティングデバイス１０２と関連してもよく、ユーザ１１４は、有線又は無線の通信プロトコルを介してネットワークテレビと通信するリモートコントロール１１６を有してもよく、又はそれと関連してもよい。ユーザ１１４は、ネットワークテレビ１０６を制御しネットワークテレビ１０６とやり取りするためのリモートコントロール１１６を使用してもよい。リモートコントロール１１６は、テレビの専用リモートコントロール、テレビのより汎用的なリモートコントロール、及びその他のユーザデバイス、又はスマートフォン若しくはコンピューティングタブレットといったその他の機能をも有するがテレビを遠隔制御する装置であってもよい。
【００１２】
リモートサーバ１０４は、クライアントコンピューティングデバイス１０２を用いてユーザ１１４がネットワーク１１０を介してアクセス可能なウェブページ及びその他のオンラインコンテンツを提供するホスティングサーバであってもよい。幾つかの実施形態では、リモートサーバ１０４は、カリフォルニア、サンホセのｅＢａｙ  Ｉｎｃ．により提供されるような、ユーザ１１４といったユーザが商品、サービス、及びアイテム（“アイテム”と総称する）を売買できるオンライン市場サーバに対応してもよい。リモートサーバ１０４はまた、カルフォルニア、サンホセのＰａｙｐａｌ  Ｉｎｃ．により提供されるような、１つ以上のオンライン支払い処理サーバに対応してもよい。リモートサーバ１０４は、別の実施形態では他のサービスプロバイダにより維持されてもよい。幾つかの実施形態では、リモートサーバ１０４は、支払いサービス処理サーバに対応してもよく、また、商人特有のコンテンツを提供してもよい。更に、リモートサーバ１０４は、幾つかの実施形態では１つ以上のサーバに対応してもよい。
【００１３】
ネットワーク１１０は、ある実施形態では、単一のネットワーク又は多数のネットワークの組合せとして実現されてもよい。例えば、様々な実施形態において、ネットワーク１１０は、インターネット、並びに／又は１つ以上のイントラネット、固定電話ネットワーク、無線ネットワーク、及び／若しくはその他の適切な種類の通信ネットワークを含んでもよい。別の実施例では、ネットワークは、インターネットといった他の通信ネットワークとの通信に適合した無線電気通信ネットワーク（例えば、携帯電話ネットワーク）を含んでもよい。
【００１４】
クライアントコンピューティングデバイス１０２は、ある実施形態では、ネットワーク１１０を介した有線及び／又は無線通信用に構成されたハードウェア及び／又はソフトウェアの任意の適切な組合せを用いて実現されてもよい。例えば、クライアントコンピューティングデバイス１０２は、無線電話（例えば、スマートフォン）、タブレット、携帯情報端末（ＰＤＡ）、ノートブックコンピュータ、パーソナルコンピュータ、ケーブル若しくは衛星のコンテンツプロバイダにより提供されるような接続されたセットトップボックス（ＳＴＢ）、若しくはビデオゲームシステムコンソール、眼鏡映写スクリーンを有するウェアラブルコンピューティングデバイスを含むヘッドマウントディスプレイ（ＨＭＤ）若しくはその他のウェアラブルコンピューティングデバイス、及び／又は一般的に知られたその他各種のコンピューティングデバイスとして実現されてもよい。
【００１５】
クライアントコンピューティングデバイス１０２は、１つ以上のプロセッサを有し該１つ以上のプロセッサによる実行用の有形の非一時的機械可読媒体上に格納された命令を読み出す能力がある、ハードウェア及び／又はソフトウェアの任意の適切な組合せを含んでもよい。幾つかの実施形態と調和して、クライアントコンピューティングデバイス１０２は、特定のタスクをクライアントコンピューティングデバイス１０２に実行させるための１つ以上のプロセッサ（図示せず）による実行用の命令を含むメモリ（図示せず）といった、機械可読媒体を含む。幾つかの実施形態では、命令は、ユーザ１１４によるやり取りに応じて１つ以上のプロセッサにより実行されてもよい。命令は、インターネットを閲覧し、ネットワークテレビ１０６、リモートサーバ１０４、及びその他のサーバとやり取りするためのアプリケーションを含んでもよい。命令は、商品及びサービスに対する支払いであってリモートサーバ１０４により処理される支払いのためのアプリケーションを更に含んでもよい。クライアントコンピューティングデバイス１０２は、ユーザアカウントについてリモートサーバ１０４とアクセスすることを含む、ユーザ１１４が利用可能な追加の機能を提供するための１つ以上の実施形態で望まれ得るようなその他のアプリケーションを更に含んでもよい。例えば、アプリケーション１１４は、ユーザが、情報をネットワーク１１０を通じてリモートサーバ１０４及びその他のオンラインサイトへ送受信できるインタフェース及び通信プロトコルを含んでもよい。その他のアプリケーションはまた、クライアント側のセキュリティ機能用のセキュリティアプリケーション、ネットワーク１１０を介した適切なＡＰＩとのインタフェース用のプログラム的ユーザアプリケーション、又はその他各種の一般的に知られたプログラム若しくはアプリケーションを含んでもよい。
【００１６】
リモートサーバ１０４は、カリフォルニア、サンホセのｅＢｅｙ  Ｉｎｃ．といったオンライン市場を提供するプロバイダにより、又はカリフォルニア、サンホセのＰａｙＰａｌといったオンライン支払い処理プロバイダにより維持されてもよい。リモートサーバ１０４は、インセンティブアプリケーション１１６及び認証アプリケーション１１８を含んでもよい。幾つかの実施形態では、インセンティブアプリケーション１１６は、ネットワークテレビ上に表示されたインセンティブをユーザ１１４と関連するデジタルウォレットに格納するための要求をリモートサーバ１０４に受信させ得る命令を含んでもよい。更に、インセンティブアプリケーション１１６は、ネットワークテレビ１０６によりリモートサーバ１０４に提供される情報からインセンティブの細部 を判定するための命令を含んでもよく、該情報は、インセンティブと関連するプログラミングメタデータ、ハイパーリンク、若しくはユニフォームリソースロケータ（ＵＲＬ）、又は表示されたインセンティブのスクリーンショット若しくはその他の画像を含む。認証アプリケーション１２０は、リモートサーバ１０４に認証要求を送信させ認証応答が成功したか否かを判定させ得る命令を含んでもよい。
【００１７】
リモートサーバ１０４は、ユーザ１１４といった、リモートサーバ１０４上にアカウントを有するユーザに対するアカウント情報１２２を含むアカウントデータベース１２０を更に含んでもよい。アカウントデータベース１２０中のアカウント情報１２２は、ユーザ１１４と関連するデジタルウォレットと共に、認証応答が成功したか否かを判定するために認証アプリケーション１２０により用いられ得るユーザクレデンシャルをも含んでもよい。リモートサーバ１０４は、その他の機能を提供するその他のアプリケーション１２４を含んでもよい。幾つかの実施形態では、リモートサーバ１０４は、ユーザ１１４が、リモートサーバ１０４により提供されるプロバイダと関連するデジタルウォレットにインセンティブを格納でき、リモートサーバ１０４により処理されるトランザクションを実行する場合にインセンティブをその後使用、引き換え、及び又は適用できるようにしてもよい。
【００１８】
ネットワークテレビ１０６は、コンテンツ１２８、１つ以上のインセンティブ１３０を表示しネットワーク１１０を介して通信する能力がある適切なハードウェア及びソフトウェアを有する任意のディスプレイ装置であってもよい。幾つかの実施形態では、ネットワークテレビ１０６は、“スマートＴＶ”であってもよく、その上にインストールされた１つ以上のアプリケーションを有してもよい。ネットワークテレビ１０６上にインストールされたアプリケーションは、閲覧アプリケーション１３２、認証アプリケーション１３４、インセンティブアプリケーション１３６、及びコンテンツ配信アプリケーション１３８を含んでもよい。幾つかの実施形態では、更なるアプリケーションがネットワークテレビ１０６上にインストールされてもよい。
【００１９】
幾つかの実施形態では、コンテンツ１２８は、コンテンツプロバイダ１１２から及び／又はネットワーク１０６を介してコンテンツサーバ（図示せず）から受信されてもよい。インセンティブ１３０は、コンテンツ１２８上にオーバレイされてもよい。幾つかの実施形態では、コンテンツプロバイダ１１２は、広告、提供、又はその他のインセンティブをインセンティブサーバ１０８から受信してもよく、受信したコンテンツ１２８及びインセンティブ１３０を表示するための命令をコンテンツ配信アプリケーション１３８が含み得る場合には、ネットワークテレビ１０６に提供されるコンテンツ中にこれらのインセンティブを挿入してもよい。幾つかの実施形態では、インセンティブを要求及び受信し、ユーザ１１４に表示するために、受信したインセンティブをコンテンツ１２８上にその後オーバレイするための命令をインセンティブアプリケーション１３６が含み得るように、ネットワークテレビ１０６は、インセンティブをネットワーク１０６を介してインセンティブサーバ１０８から受信してもよい。幾つかの実施形態では、ネットワークテレビ１０６が１つ以上のメタデータタグを検出し、対応するインセンティブを表示し得るように、コンテンツ１２８は、インセンティブに対応し得るこれらのメタデータタグを含んでもよい。インセンティブ１３０及び／又はコンテンツ１２８は、インセンティブ１３０の細部を判定するためにインセンティブアプリケーション１３６により解析され得る関連するメタデータを含んでもよい。幾つかの実施形態では、ユーザ１１４がインセンティブ１３０を請求し得、又はインセンティブと関連する更なる情報を習得し得るように、インセンティブ１３０は、ユーザ１１４に表示され得るハイパーリンク又はＵＲＬを含んでもよい。そうした実施形態では、インセンティブアプリケーション１３６は、ハイパーリンク又はＵＲＬを介して請求するための、又はＵＲＬ又はハイパーリンクからインセンティブの細部を獲得するための命令を含んでもよい。幾つかの実施形態では、インセンティブアプリケーション１３６には、インセンティブ１３０の画像を取得し、取得した画像をインセンティブの細部について分析する能力があってもよい。
【００２０】
幾つかの実施形態では、ユーザ１１４は、ネットワークテレビ１０６上に表示されたインセンティブ１３０を請求することや、リモートサーバ１０４のアカウント情報１２４に格納されたアカウントと関連するデジタルウォレットにインセンティブ１３０を追加させることを欲し得る。インセンティブ１３０をネットワークテレビ１０６から選択し、ユーザがインセンティブをそのデジタルウォレットに追加したいことを示すために、ユーザ１１４はリモート１１６を使用してもよい。リモート１１６に加えて、ユーザ１１４は、ネットワークテレビ１０６と直接通信し得るかネットワーク１１０を介してネットワークテレビ１０６と通信し得るクライアントコンピューティングデバイス１０２を用いて、表示されたインセンティブ１３０を選択できてもよい。ネットワークテレビ１０６がタッチスクリーンを含む場合には、ユーザ１１４は、タッチスクリーンを用いてインセンティブを選択できてもよい。ユーザ１１４は、以下により詳細に説明するように、インセンティブ１３０をデジタルウォレットに追加するために、ネットワークテレビ１０６を通じてリモートサーバ１０４との認証をその後行うことができてもよい。
【００２１】
クライアントコンピューティングデバイス１０２、リモートサーバ１０４、及びネットワークテレビ１０６上のアプリケーションが議論されているが、アプリケーションはまた、幾つかの実施形態ではモジュールであってもよい。モジュールは、本明細書で用いられるように、１つ以上のプロセッサ又は特定用途向け集積回路（ＡＳＩＣ）若しくはその他の回路により実行される場合の機能を果たすソフトウェアモジュールを指してもよく、その他の回路は、メモリと、アプリケーションが果たすものとして記述される機能等の機能を果たすための命令を実行する少なくとも１つのプロセッサとを有する。更に、図１に示す実施例は、ネットワークテレビ１０６上に表示されたインセンティブ１３０を請求することに言及するが、実施例は、コンテンツ１２８を受信し、コンテンツ１２８を表示し、インセンティブ１３０をオーバレイし、インセンティブ１３０をデジタルウォレットに追加するための要求を処理する能力があるその他の装置に拡張されてもよい。そうした装置は、デスクトップコンピューティングシステムのモニタ、ラップトップスクリーン、タブレットコンピュータ、スマートフォン、並びにスマートウォッチ及びヘッドマウントディスプレイ（ＨＭＤ）といったウェアラブル装置を含むが、これらに限定されない。
【００２２】
図２は、幾つかの実施形態と調和する、クライアントコンピューティングデバイス１０２、リモートサーバ１０４、ネットワークテレビ１０６、又はインセンティブサーバ１０８の何れかに対応してもよいコンピューティングシステム２００を示す図である。コンピューティングシステム２００は、スマートフォン、タブレットコンピュータ、パーソナルコンピュータ、ラップトップコンピュータ、ネットブック、若しくはタブレットコンピュータといった携帯装置、セットトップボックス、ビデオゲームコンソール、ヘッドマウントディスプレイ（ＨＭＤ）、又はクライアントコンピューティングデバイス１０２と調和するようなその他のウェアラブルコンピューティングデバイスであってもよい。更に、コンピューティングシステム２００はまた、ネットワークテレビ１０６と調和するように、アプリケーションを実行しネットワーク１１０を介して通信する能力があるテレビであってもよい。さらにまた、コンピューティングシステム２００はまた、リモートサーバ１０４又はインセンティブサーバ１０８と調和するように、サーバ、又は複数のサーバの内の１つのサーバであってもよい。図２に示すように、コンピューティングシステム２００は、図１に示したネットワーク１１０といったネットワークとの通信用に構成されたネットワークインタフェースコンポーネント（ＮＩＣ）２０２を含む。幾つかの実施形態と調和して、ＮＩＣ２０２は、無線ブロードバンドコンポーネント、無線衛星コンポーネントといった無線通信コンポーネント、又はネットワーク１１０との通信用に構成された無線周波数（ＲＦ）、マイクロ波周波数（ＭＷＦ）、及び／若しくは赤外線（ＩＲ）コンポーネントを含むその他各種の無線通信コンポーネントを含む。他の実施形態と調和して、ＮＩＣ２０２は、同軸ケーブル、光ファイバーケーブル、デジタル加入者回線（ＤＳＬ）モデム、公衆交換電話網（ＰＳＴＮ）モデム、イーサネット装置、並びに／又はネットワーク１１０との通信に適合するその他各種の有線及び／若しくは無線のネットワーク通信装置とのインタフェースを取るように構成されてもよい。
【００２３】
幾つかの実施形態と調和して、コンピューティングシステム２００は、コンピューティングシステム２００内の様々なコンポーネントを相互接続し様々なコンポーネント間で情報を通信するためのシステムバス２０４を含む。そうしたコンポーネントは処理コンポーネント２０６を含み、該処理コンポーネント２０６は、１つ以上のプロセッサ、マイクロコントローラ、グラフィックスプロセシングユニット（ＧＰＵ）、又はデジタルシグナルプロセッサ（ＤＳＰ）であってもよい。コンピューティングシステム２００はメモリコンポーネント２０８をも含んでもよく、該メモリコンポーネント２０８は、ランダムアクセスメモリ（ＲＡＭ）、内部メモリコンポーネント、リードオンリーメモリ（ＲＯＭ）、又は外部若しくは据え付けの光、磁気、若しくはソリッドステート型のメモリに対応してもよい。リモートサーバ１０４のメモリコンポーネント２０８は、幾つかの実施形態では、アカウントデータベース１２２を含む１つ以上のデータベースに対応してもよい。幾つかの実施形態と調和して、コンピューティングシステム２００は、コンピューティングシステム２００のユーザ１１４に情報を表示するための表示コンポーネント２１０を更に含む。表示コンポーネント２１０は、液晶ディスプレイ（ＬＣＤ）スクリーン、有機発光ダイオード（ＯＬＥＤ）スクリーン（アクティブマトリクス式ＡＭＯＬＥＤスクリーンを含む）、ＬＥＤスクリーン、プラズマディスプレイ、又は陰極線管（ＣＲＴ）ディスプレイをであってもよい。幾つかの実施形態では、処理コンポーネントは、表示コンポーネント２１０による表示のための情報をレンダリングするように構成されてもよい。レンダリングされる情報は、ユーザインタフェース及び図形等を含んでもよい。幾つかの実施形態では、レンダリングされる情報は、コンテンツ１２８及びインセンティブ１３０を含んでもよい。コンピューティングシステム２００は、ユーザ１１４といったコンピューティングシステム２００のユーザがコンピューティングシステム２００に情報を入力できる入力コンポーネント２１２をも含んでもよい。そうした情報は、トランザクションを完了するための必要額といった支払い情報、アカウント情報、クレデンシャルといった認証情報、又は識別情報を含んでもよい。入力コンポーネント２１２は、例えば、物理的であれ仮想的であれ、キーボード又はキーパッドを含んでもよい。幾つかの実施形態では、リモートコントロール１１６は、ネットワークテレビ１０６に対する外部入力コンポーネント２１２にも対応してもよい。コンピューティングシステム２００は、ユーザが表示コンポーネント２１０に従ってナビゲーションできるように構成されたナビゲーション制御コンポーネント２１４を更に含んでもよい。幾つかの実施形態と調和して、ナビゲーション制御コンポーネント２１４は、マウス、トラックボール、又はその他のそうした装置であってもよい。更に、コンピューティングシステム２００がタッチスクリーンを含む場合には、表示コンポーネント２１０、入力コンポーネント２１２、及びナビゲーション制御２１４は、容量センサベースのタッチスクリーンといった単一の統合コンポーネントであってもよい。
【００２４】
コンピューティングシステム２００は、コンピューティングシステム２００の位置を測定するための位置コンポーネント２１６を更に含んでもよい。幾つかの実施形態では、位置コンポーネント２１６は、１つ以上のＧＰＳ衛星と通信するＧＰＳトランシーバに対応してもよい。他の実施形態では、位置コンポーネント２１６は、インターネットプロトコル（ＩＰ）アドレス探索を用いることにより、又は近隣の電気通信塔若しくは無線アクセスポイント（ＷＡＰ）に基づく位置の測量により、コンピューティングシステム２００の位置を測定するように構成されてもよい。位置コンポーネント２１６は、コンピューティングシステム２００の位置を特定する目的で第三者に送信され得るユーザ規定位置をメモリコンポーネント２０８に格納するように更に構成されてもよい。コンピューティングシステム２００はセンサコンポーネント２１８をも含んでもよい。センサコンポーネント２１８は、センサ機能を提供し、クライアントコンピューティングデバイス１０２に組み込まれたセンサ、又はクライアントコンピューティングデバイス１０２に結合されたセンサ周辺装置に対応してもよい。センサコンポーネント２１８は、クライアントコンピューティングデバイス１０２を用いてユーザ１１０が実行する任意の行動と関連し得るユーザ１１０及び／又はクライアントコンピューティングデバイス１０２に関係する情報を取り込む任意の知覚装置を含んでもよい。センサコンポーネント２１８は、カメラ及び画像化コンポーネント、加速度計、バイオメトリクスリーダ、ＧＰＳ装置、モーションキャプチャ装置、並びにクライアントコンピューティングデバイス１０２若しくはユーザ１１０又はそれらの周辺の環境についての情報を提供する能力があるその他の装置を含んでもよい。コンピューティングシステム２００は、１つ以上の無線トランシーバ２２０をも含んでもよく、該１つ以上の無線トランシーバ２２０は、Ｗｉ−Ｆｉ（登録商標）、３Ｇ、４Ｇ、ＬＴＥ、ＲＦ、ＮＦＣ、ＩＥＥＥ８０２．１１ａ、ｂ、ｇ、ｎ、ａｃ、若しくはａｄ、Ｂｌｕｅｔｏｏｔｈ（登録商標）、ＢＬＥ、ＷｉＭＡＸ、ＺｉｇＢｅｅ（登録商標）、ＡＮＴ、又はＡＮＴ＋といった１つ以上の無線ネットワークプロトコルに従って情報を送受信する能力がある、分離可能であるか統合されたアンテナを夫々含んでもよい。
【００２５】
コンピューティングシステム２００は、図１に示した１つ以上のアプリケーションに対応し得る前述の命令と共に、メモリコンポーネント２０８に含まれる１つ以上の命令列を実行する処理コンポーネント２０６によって、特定の動作を実行してもよい。他の実施形態では、本開示を実施するためのソフトウェア命令の代わりに又はそれと組み合わせて、ハードワイヤード回路が用いられてもよい。ロジックは、コンピュータ可読媒体に符号化されてもよく、該コンピュータ可読媒体は、メモリコンポーネント２０８を含む、実行用の処理コンポーネント２０６に命令を提供することに関与する任意の媒体を指してもよい。幾つかの実施形態と調和して、コンピュータ可読媒体は有形で非一時的である。様々な実施において、不揮発性媒体は光若しくは磁気ディスクを含み、揮発性媒体は動的メモリを含み、伝送媒体は、同軸ケーブル、銅線、及び光ファイバを含み、システムバス２０４を含む線を含む。幾つかの一般的なコンピュータ可読媒体は、例えば、フロッピーディスク、フレキシブルディスク、ハードディスク、磁気テープ、その他の磁気媒体、ＣＤ−ＲＯＭ、その他の光媒体、パンチカード、紙テープ、穴模様を伴うその他の物理的媒体、ＲＡＭ、ＰＲＯＭ、ＥＰＲＯＭ、フラッシュＥＰＲＯＭ、その他のメモリチップ若しくはカートリッジ、又はコンピュータが読み出すのに適合するその他の媒体を含む。
【００２６】
本開示の様々な実施形態では、本開示を実践するための命令列の実行は、コンピュータシステム２００により行われてもよい。本開示の様々な他の実施形態では、通信リンク２２２によりネットワーク１１０（例えば、ＬＡＮ、ＷＬＡＮ、ＰＴＳＮ、並びに／又は電気通信、移動型、及びセルラー方式電話ネットワークを含むその他各種の有線若しくは無線ネットワーク）に結合された複数のコンピューティングシステム２００は、本開示を実践するための命令列を相互に協調して実行してもよい。コンピューティングシステム２００は、通信リンク２２２及びネットワークインタフェースコンポーネント２０２並びに無線トランシーバ２２０を通じて、１つ以上のプログラム（すなわち、アプリケーションコード）を含む、メッセージ、データ及び１つ以上のデータパケット、情報及び命令を送受信してもよい。受信されたプログラムコードは、メモリコンポーネント２０８に受信及び／又は格納されると共に、処理コンポーネント２０６により実行されてもよい。
【００２７】
図３Ａ〜３Ｃは、幾つかの実施形態と調和して、ユーザと関連するデジタルウォレットに追加するためにネットワークテレビ１０６上に表示されたインセンティブ１３０をユーザ１１４が選択する一例を示す図である。図３Ａに示すように、ネットワークテレビ１０６は、コンテンツプロバイダ１１２から又はネットワーク１１０から受信したコンテンツ１２８を表示してもよい。インセンティブ１３０は、インセンティブサーバ１０８から又はネットワーク１１０から受信されてもよく、コンテンツ１２８にオーバレイされて又はコンテンツ１２８の一部として表示されてもよい。ユーザ１１４は、インセンティブ１３０を請求することや、ユーザ１１４と関連するデジタルウォレット又はその他のオンラインアカウントにインセンティブ１３０を追加することを欲し得る。例えば、インセンティブ１３０を選択し、ユーザ１１４と関連するデジタルウォレット又はその他のアカウントにインセンティブ１３０を追加することを要求するために、ユーザ１１４は、リモートコントロール１１６をその後使用してもよい。幾つかの実施形態では、ユーザ１１４と関連するデジタルウォレット又はその他のアカウントにインセンティブ１３０を追加することをユーザ１１４が要求する場合、ネットワークテレビ１０６は、要求をネットワーク１０６を介して、デジタルウォレット又はその他のアカウントを提供し得るリモートサーバ１０４に送信してもよい。リモートサーバ１０４は、認証要求をネットワークテレビ１０６にその後送信してもよい。
【００２８】
図３Ｂに示すように、ネットワークテレビ１０６が認証要求をリモートサーバ１０４から受信した場合、ネットワークテレビ１０６の認証アプリケーション１３４は、ユーザ１１４に認証インタフェース３００を表示するための命令を含んでもよい。幾つかの実施形態では、認証インタフェース３００は、ユーザ名入力フィールド３０２及びパスワード入力フィールド３０４を含んでもよい。概ねクレデンシャルは、その他の実施形態では認証インタフェース３００に含まれてもよい。幾つかの実施形態では、ユーザ１１４がアカウントと連携又は別の方法で関連付けられると、個人識別番号（ＰＩＮ）といった安全性が低いクレデンシャルであり得る、ネットワークテレビ１０６と関連するアカウント用の入力フィールドを認証インタフェース３００が表示し得るように、ユーザ１１４は、リモートサーバ１０４とのアカウントをネットワークテレビ１０６と関連するアカウントと結び付けてもよい。認証インタフェース３００は、ユーザネーム、パスワード、又はその他のクレデンシャルを入力する場合に使用するためのユーザ１１４用に仮想キーボード３０６をも含んでもよい。幾つかの実施形態では、ユーザ１１４は、仮想キーボード３０６のキーを選択してキーボード３０６からフィールド３０２及び３０４中に文字や数字を入力するために、リモート１１６を使用できてもよい。ネットワークテレビ１０６がタッチスクリーンを含む実施形態では、ユーザ１１４は、仮想キーボード２０６の個々のキーに触れてフィールド３０２及び３０４中にクレデンシャルを入力できてもよい。
【００２９】
ユーザ１１４が認証インタフェース３００中にクレデンシャルを入力した後、ユーザ１１４は入力されたクレデンシャルを提出してもよく、ネットワークテレビ１０６はリモートサーバ１０４にネットワーク１１０を介してクレデンシャルを送信してもよい。リモートサーバ１０４の認証アプリケーション１２０は、アカウントデータベース１２２のアカウント情報１２４に格納され得る認証クレデンシャルを含む、ユーザ１１０と関連する認証クレデンシャルに受信したクレデンシャルが一致するか否かをその後判定してもよい。認証アプリケーション１２０が、受信したクレデンシャルが格納されたクレデンシャルに一致すると判定するか、又は別の方法で認証が成功したと判定した場合、インセンティブアプリケーション１１８は、ユーザ１１４と関連するデジタルウォレットにインセンティブ１３０を追加するための命令を含んでもよい。幾つかの実施形態では、インセンティブアプリケーション１１８は、ユーザ１１４のデジタルウォレットに追加するためにインセンティブ１３０の細部を判定するため、インセンティブ１３０と関連するメタデータを解析するための命令を含んでもよい。幾つかの実施形態では、インセンティブアプリケーション１１８は、インセンティブ１３０を請求しユーザ１１４のデジタルウォレットにインセンティブ１３０を追加するために、インセンティブ１３０と関連するハイパーリンク又はＵＲＬを使用するための命令を含んでもよい。幾つかの実施形態では、インセンティブアプリケーション１１８は、ユーザ１１４のデジタルウォレットに追加するためにインセンティブの細部を判定するため、インセンティブ１３０の取り込み画像を分析するための命令を含んでもよい。更に、インセンティブアプリケーション１１８がインセンティブ１３０をデジタルウォレットに格納できるために必要な情報を提供し得る、インセンティブ１３０と関連する細部は、インセンティブ１３０を格納するための要求の少なくとも１つに、又は認証応答に含まれてもよい。さらにまた、図３Ｃに示すように、インセンティブ１３０がユーザ１１４のデジタルウォレットに成功裡に追加された場合、リモートサーバ１０４は、ユーザ１１４と関連するクライアントコンピューティングデバイス１０２に通知３０８を送信してもよい。幾つかの実施形態では、通知３０８は、ユーザ１１４と関連しアカウント情報１２４に含まれる携帯電話にショートメッセージサービス（ＳＭＳ）メッセージとして送信されてもよい。他の実施形態では、通知３０８は、アカウント情報１２４に含まれ得るユーザ１１４と関連する電子メールアドレスに電子メールとして送信されてもよい。更に、通知３０８は、クライアントコンピューティングデバイス１０２上にインストールされリモートサーバ１０４と通信及びやり取りする能力がある支払い、買い物、又はその他のアプリケーションを通じて、クライアントコンピューティングデバイス１０２にプッシュ通知として送信されてもよい。ユーザ１１４は、インセンティブ１３０をその後使用、引き換え、又は適用し得る。［通知が表示用にＴＶに送信された？］幾つかの実施形態では、ユーザ１１４は、リモートサーバ１０４により処理されるトランザクションを実行する場合に、インセンティブ１３０を引き換え、使用、又は適用できてもよい。幾つかの実施形態では、ユーザ１１４がセッションを確立するための最初の認証を実行すると、ユーザ１１４により実行された単一の選択若しくは要求によって、又はセッションの間ユーザ１１４により後続の認証が要求されることなくインセンティブ１３０の表示が検出されると自動的に、任意のインセンティブ１３０がデジタルウォレットに追加されてもよい。幾つかの実施形態では、セッションは、ネットワークテレビ１０６が電源投入されている限り、又は約５分から約３時間であり得る所定時間の間、存続してもよい。
【００３０】
更に、図３に示す実施例は、ネットワークテレビ１０６上に表示されたインセンティブ１３０を請求することに言及するが、実施例は、コンテンツ１２８を受信し、コンテンツ１２８を表示し、インセンティブ１３０をオーバレイし、インセンティブ１３０をデジタルウォレットに追加するための要求を処理する能力があるその他の装置に拡張されてもよい。そうした装置は、デスクトップコンピューティングシステムのモニタ、ラップトップスクリーン、タブレットコンピュータ、スマートフォン、並びにスマートウォッチ及びヘッドマウントディスプレイ（ＨＭＤ）といったウェアラブル装置を含む。
【００３１】
図４は、幾つかの実施形態と調和する、ネットワークテレビ１０６上でユーザ１１４が見たインセンティブをユーザ１１４と関連するデジタルウォレットに追加するフローを示す図である。説明のために、図４は、図１〜図３のいずれかについて記述されてもよい。図４に示すように、ネットワークテレビ１０６は、コンテンツプロバイダ１１２から又はインセンティブサーバ１０８からインセンティブ１３０を受信してもよい。インセンティブ１３０は、コンテンツ１２８にオーバレイされて又はコンテンツ１２８の一部として表示されてもよい。例えば、インセンティブ１３０を選択し、ユーザ１１４と関連するデジタルウォレット又はその他のアカウントにインセンティブ１３０を追加することを要求するために、ユーザ１１４は、リモートコントロール１１６をその後使用してもよい。幾つかの実施形態では、ユーザ１１４と関連するデジタルウォレット又はその他のアカウントにインセンティブを追加することをユーザ１１４が要求する場合、ユーザ１１４と関連するデジタルウォレットにインセンティブ１３０を追加することに対する関心を通信するための要求を、ネットワークテレビ１０６は、デジタルウォレット又はその他のアカウントを提供し得るリモートサーバ１０４にネットワーク１０６を介して送信してもよい。リモートサーバ１０４は、認証要求をネットワークテレビ１０６にその後送信してもよい。ネットワークテレビ１０６の認証アプリケーション１３４は、ユーザ１１４に認証インタフェース３００を表示するための命令を含んでもよく、ユーザ１１４は、認証の細部を認証インタフェース３００に入力するためにリモートコントロール１１６を使用してもよい。幾つかの実施形態では、ユーザ１１４は、ネットワークテレビ１０６と直接通信するかネットワーク１１０を介してネットワークテレビ１０６と通信するクライアントコンピューティングデバイス１０２を用いるといった、その他の方法で認証の細部を入力してもよい。ネットワークテレビ１０６がタッチスクリーンを含む実施形態では、ユーザ１１４は、タッチスクリーンを用いて認証の細部を入力してもよい。
【００３２】
ネットワークテレビ１０６は、認証の細部をネットワーク１１０を介してリモートサーバ１０４にその後送信してもよい。リモートサーバ１０４の認証アプリケーション１２０は、提供された認証の細部を用いてユーザ１１４をその後認証してもよく、認証が成功した場合にはユーザ１１４と関連するデジタルウォレットにインセンティブ１３０を配置してもよい。前述したように、ユーザ１１４と関連するデジタルウォレットにインセンティブ１３０を追加することは、インセンティブ１３０と関連するメタデータを解析すること、インセンティブ１３０と関連するＵＲＬ若しくはハイパーリンクを通じて細部を判定すること、又はインセンティブ１３０の画像を分析することによって、インセンティブ１３０の細部を判定することを含んでもよい。更に、インセンティブアプリケーション１１８がインセンティブ１３０をデジタルウォレットに格納できるために必要な情報を提供し得るインセンティブ１３０と関連する細部は、インセンティブ１３０を格納するための要求の少なくとも１つに、又は認証応答に含まれてもよい。インセンティブがユーザ１１４のデジタルウォレットに成功裡に追加された場合、リモートサーバ１０４は、ＳＭＳメッセージ、電子メール、及びプッシュ通知等であり得る通知３０８を、ユーザ１１４と関連するクライアントコンピューティングデバイス１０２に送信してもよい。ユーザ１１４は、インセンティブ１３０をその後使用、引き換え、又は適用できてもよい。幾つかの実施形態では、ユーザ１１４は、リモートサーバ１０４により処理されるトランザクションを実行する場合にインセンティブ１３０を引き換え、使用、又は適用できてもよい。
【００３３】
図５は、幾つかの実施形態と調和する、ユーザ１１４と関連するデジタルウォレットにインセンティブ１３０を格納するための処理５００を示すフローチャートである。説明のために、図５は、図１、図２、図３Ａ〜図３Ｃ、及び図４の何れかを参照しながら記述されるだろう。図５に示す処理５００は、処理５００のステップがリモートサーバ１０４の処理コンポーネント２０６により実行され得るように、１つ以上のプロセッサによる実行用のコンピュータ可読の命令中に実現されてもよい。幾つかの実施形態では、リモートサーバ１０４のインセンティブアプリケーション１１８及び／又は認証アプリケーション１２０は、処理５００の１つ以上のステップを実行するための命令を含んでもよい。図５に示すように、ユーザ１１４と関連するデジタルウォレットにインセンティブ１３０を格納するための要求をネットワークテレビ１０６から受信した場合に、処理５００は開始される（５０２）。幾つかの実施形態では、インセンティブ１３０は、コンテンツ１２８の一部として又はコンテンツ１２８上のオーバレイとして、ネットワークテレビ１０６上に表示されていてもよい。更に、ユーザ１１４は、リモートコントロール１１６、クライアントコンピューティングデバイス１０２を用いて、又はネットワークテレビ１０６がタッチスクリーンを含む場合にはネットワークテレビ１０６のスクリーンを触れることにより、デジタルウォレットに格納するためのインセンティブ１３０を選択していてもよい。
【００３４】
リモートサーバ１０４が、インセンティブ１３０を格納するための要求をネットワークテレビ１０６から受信するか、別の方法としてインセンティブ１３０を格納することに対する関心を示すメッセージを受信した場合、リモートサーバ１０４は、認証要求をネットワークテレビ１０６に送信してもよい（５０４）。幾つかの実施形態では、ネットワークテレビ１０６は、認証の細部を提供するために認証インタフェース３００をユーザ１１４に表示するための命令を含み得る認証アプリケーション１３４を含んでもよい。リモートサーバ１０４は、認証要求をその後受信してもよい（５０６）。幾つかの実施形態では、ネットワークテレビ１０６により表示された認証インタフェース３００中にユーザ１１４により入力された認証の細部は、認証応答においてリモートサーバ１０４に送信されてもよい。幾つかの実施形態では、ユーザは、リモートコントロール１１６、クライアントコンピューティングデバイス１０２を用いて、又は利用可能であればタッチスクリーンを通じて、認証の細部を認証インタフェース３００に入力してもよい。
【００３５】
リモートサーバ１０４の処理コンポーネント２０６は、認証応答において受信した認証の細部が正しく認証が成功したか否かを判定するために、認証アプリケーション１２０に含まれる命令を実行してもよい（５０８）。幾つかの実施形態では、リモートサーバ１０４の処理コンポーネント２０６は、認証応答において受信した認証の細部がユーザ１１４のアカウント情報１２４に格納された認証の細部に一致するか否かを判定することによって、認証が成功したか否かを判定してもよい。認証が成功しなかった場合、リモートサーバ１０４の認証アプリケーション１２０は、別の行動を取るための命令を含んでもよい（５１０）。幾つかの実施形態では、別の行動を取ることは、ユーザ１１４が認証の細部を再入力することを要求すること、ユーザ１１４が異なる形式の認証を提供することを要求すること、アカウントについてのセキュリティを強化すること、及びアカウントを一時的に停止こと等を含んでもよい。
【００３６】
認証が成功した場合、インセンティブアプリケーション１１８は、ユーザ１１４のアカウントと関連するデジタルウォレットにインセンティブ１３０を格納するための命令を含んでもよい（５１２）。幾つかの実施形態では、アカウント情報１２４は、ユーザ１１４と関連するデジタルウォレットを含んでもよく、インセンティブ１３０の細部は、デジタルウォレットに格納されてもよい。前述したように、ユーザ１１４と関連するデジタルウォレットにインセンティブ１３０を格納することは、インセンティブ１３０と関連するメタデータを解析すること、インセンティブ１３０と関連するＵＲＬ若しくはハイパーリンクを通じて細部を判定すること、又はインセンティブ１３０の画像を分析することによって、インセンティブ１３０の細部を判定することを含んでもよい。更に、インセンティブアプリケーション１１８がインセンティブ１３０をデジタルウォレットに格納できるために必要な情報を提供し得るインセンティブ１３０と関連する細部は、インセンティブ１３０を格納するための要求の少なくとも１つに、又は認証応答に含まれてもよい。インセンティブがユーザ１１４のデジタルウォレットに成功裡に格納された場合、リモートサーバ１０４は、ＳＭＳメッセージ、電子メール、及びプッシュ通知等であり得る通知３０８を、ユーザ１１４と関連するクライアントコンピューティングデバイス１０２に送信してもよい（５１４）。ユーザ１１４は、インセンティブ１３０をその後使用、引き換え、又は適用できてもよい。幾つかの実施形態では、ユーザ１１４は、リモートサーバ１０４により処理されるトランザクションを実行する場合にインセンティブ１３０を引き換え、使用、又は適用してもよい。
【００３７】
図６は、幾つかの実施形態と調和する、ユーザ１１４と関連するデジタルウォレットにインセンティブ１３０を格納するための処理６００を示すフローチャートである。説明のために、図６は、図１、図２、図３Ａ〜図３Ｃ、及び図４の何れかを参照しながら記述されるだろう。図６に示す処理６００は、処理６００のステップがネットワークテレビ１０６の処理コンポーネント２０６により実行され得るように、１つ以上のプロセッサによる実行用のコンピュータ可読の命令中に実現されてもよい。幾つかの実施形態では、ネットワークテレビ１０６のインセンティブアプリケーション１３６、認証アプリケーション１３４、及び／又はコンテンツ配信アプリケーション１３８は、処理６００の１つ以上のステップを実行するための命令を含んでもよい。図６に示すように、ネットワークテレビがコンテンツ１２８を受信し（６０２）、インセンティブ１３０を受信し（６０４）、コンテンツ１２８及びインセンティブ１３０を表示した（６０６）場合に、処理６００は開始される。幾つかの実施形態では、コンテンツ１２８は、コンテンツプロバイダ１１２から又はネットワーク１１０から受信されてもよく、インセンティブ１３０は、インセンティブサーバ１０８から又はネットワーク１１０から受信されてもよく、コンテンツ１２８にオーバレイされて又はコンテンツ１２８の一部として表示されてもよい。
【００３８】
ネットワークテレビ１０６は、インセンティブ１３０を格納するための要求をユーザ１１４からその後受信してもよく（６０８）、インセンティブ１３０を格納するための要求をリモートサーバ１０４に送信してもよい（６１０）。幾つかの実施形態では、ユーザ１１４からの要求はリモートコントロール１１６により受信されてもよい。更に、幾つかの実施形態では、リモートサーバ１０４に送信された要求はインセンティブ１３０についての細部を含んでもよい。ネットワークテレビ１０６は、認証要求をリモートサーバ１０４からその後受信してもよく（６１２）、認証アプリケーション１３４は、認証インタフェース３００を表示するための命令を含んでもよい（６１４）。ネットワークテレビ１０６は、ユーザ１１４により入力された認証の細部を認証インタフェース３００中にその後受信してもよい（６１６）。幾つかの実施形態では、ユーザ１１４は、リモートコントロール１１６を用いて認証の細部を認証インタフェース３００に入力してもよい。幾つかの実施形態では、ユーザ１１４は、ネットワークテレビ１０６と直接通信するかネットワーク１１０を介してネットワークテレビ１０６と通信するクライアントコンピューティングデバイス１０２に認証の細部を入力してもよい。ネットワークテレビ１０６は、入力された認証の細部をリモートサーバ１０４にその後提供してもよい（６１８）。幾つかの実施形態では、ネットワークテレビ１０６はまた、入力された認証の細部と共に、インセンティブ１３０についての細部をリモートサーバ１０４に提供してもよい。
【００３９】
プログラムコード及び／又はデータといった、本開示に従ったソフトウェアは、非一時的機械可読媒体を含む１つ以上の機械可読媒体上に格納されてもよい。本明細書で特定されるソフトウェアは、１つ以上の汎用の若しくは特定用途のコンピュータ及び／又はコンピュータシステム、ネットワーク化、並びに／又はその他の手段を用いて実施されてもよいとも考えられる。適用可能であれば、本明細書で記述された様々なステップは、順序が変更されてもよく、合成のステップに纏められてもよく、及び／又は本明細書で記述された特徴を提供するためのサブステップに分けられてもよい。
【００４０】
この開示と調和する実施形態では、ユーザが、インセンティブをリモートコントロールを用いてネットワークテレビを通じて請求でき、インセンティブをユーザがその後それを通じて使用又は引き換えするプロバイダと関連するデジタルウォレット又はアカウントにインセンティブを追加できる、システム及び方法が提供され得る。上記で提供された実施例は、単なる例示であり、限定することを目的としない。この開示の範囲内にあることを目的とする開示された実施形態と調和するその他のシステムは、当業者であれば容易に考え出し得る。かくして、本願は以下の請求項によってのみ限定される。
【図１】
2016524199.tif 000003
【図２】
2016524199.tif 000004
【図３Ａ】
2016524199.tif 000005
【図３Ｂ】
2016524199.tif 000006
【図３Ｃ】
2016524199.tif 000007
【図４】
2016524199.tif 000008
【図５】
2016524199.tif 000009
【図６】
2016524199.tif 000010
【手続補正書】
【提出日】平成27年11月25日(2015.11.25)
【手続補正１】
【補正対象書類名】特許請求の範囲
【補正対象項目名】全文
【補正方法】変更
【補正の内容】
【特許請求の範囲】
【請求項１】
テレビ上でユーザが見たインセンティブであるインセンティブを前記ユーザのアカウントと関連するデジタルウォレットに格納するための要求を受信することに応じて、認証要求を準備し、
認証応答が成功した場合に前記インセンティブを前記デジタルウォレットに格納する
ように構成された１つ以上のプロセッサと、
ネットワークを介して、前記認証要求を送信し、前記インセンティブ及び前記認証応答を格納するための前記要求を受信するように構成されたネットワークインタフェースコンポーネントと、
前記ユーザと関連する前記デジタルウォレットを格納するメモリと
を含む、システム。
【請求項２】
前記ネットワークインタフェースコンポーネントは、前記インセンティブを格納するための前記要求と共にインセンティブの細部を受信するように更に構成される、請求項１に記載のシステム。
【請求項３】
前記ネットワークインタフェースコンポーネントは、前記認証応答と共にインセンティブの細部を受信するように更に構成される、請求項１に記載のシステム。
【請求項４】
前記１つ以上のプロセッサは、前記インセンティブと関連し前記インセンティブ及び前記認証応答を格納するための前記要求の少なくとも１つに含まれる情報から、インセンティブの細部を判定するように構成される、請求項１に記載のシステム。
【請求項５】
前記１つ以上のプロセッサは、前記インセンティブと関連する前記情報に基づいて前記インセンティブの細部に対する要求を生成し、前記要求に応じて前記インセンティブの細部を受信することによって、前記インセンティブの細部を判定するように構成される、請求項４に記載のシステム。
【請求項６】
前記ネットワークインタフェースコンポーネントは更に、前記インセンティブの細部に対する前記要求を前記ネットワークを介して送信し、前記要求に対する前記応答を受信するように構成される、請求項５に記載のシステム。
【請求項７】
前記１つ以上のプロセッサは、前記インセンティブが前記デジタルウォレットに格納された場合に、前記インセンティブが前記デジタルウォレットに格納された情報を提供する更新情報を生成するように更に構成され、
前記ネットワークインタフェースコンポーネントは、前記更新情報を前記ユーザと関連する装置に前記ネットワークを介して送信するように更に構成される、
請求項１に記載のシステム。
【請求項８】
前記ネットワークインタフェースコンポーネントは、格納された前記インセンティブを使用するための要求を受信するように更に構成され、
前記１つ以上のプロセッサは、前記システムにより処理される前記ユーザに対するトランザクションに前記インセンティブを適用するように更に構成される、
請求項１に記載のシステム。
【請求項９】
サーバの１つ以上のプロセッサにより実行される場合に、
テレビ上でユーザが見たインセンティブであるインセンティブを前記ユーザのアカウントと関連するデジタルウォレットに格納するための要求をネットワークを介して前記テレビから受信し、
認証要求を前記ネットワークを介して前記テレビに送信し、
認証応答を受信し、
受信された前記認証応答が成功した場合に前記インセンティブを前記デジタルウォレットに格納し、
前記インセンティブが前記デジタルウォレットに格納された場合に前記ユーザに通知を送信すること
を含む方法を前記サーバに実行させる命令を含む、コンピュータ可読媒体。
【請求項１０】
トランザクションが処理される場合に、格納された前記インセンティブを適用することを更に含む、請求項９に記載のコンピュータ可読媒体。
【請求項１１】
前記要求を前記ネットワークを介して前記テレビから受信することは、前記要求と共にインセンティブの細部を受信することを含む、請求項９に記載のコンピュータ可読媒体。
【請求項１２】
前記認証応答を受信することは、前記応答と共にインセンティブの細部を受信することを含む、請求項９に記載のコンピュータ可読媒体。
【請求項１３】
前記インセンティブ及び前記認証応答を格納するための前記要求の少なくとも１つに含まれる前記インセンティブと関連する情報からインセンティブの細部を判定することを更に含む、請求項９に記載のコンピュータ可読媒体。
【請求項１４】
インセンティブの細部を判定することは、
前記インセンティブと関連する前記情報に基づいてインセンティブの細部に対する要求を前記ネットワークを介して送信し、
前記インセンティブの細部を含む応答を受信すること
を含む、請求項１３に記載のコンピュータ可読媒体。
【請求項１５】
認証応答を受信することは認証情報を受信することを含み、前記認証は、受信された認証情報が格納された認証情報に一致した場合に成功する、請求項９に記載のコンピュータ可読媒体。
【請求項１６】
受信された前記認証情報は、ユーザ識別子、パスワード、及び個人識別番号（ＰＩＮ）の内の少なくとも１つを含む、請求項１５に記載のコンピュータ可読媒体。
【請求項１７】
前記認証情報は、前記テレビを通じて前記ユーザにより入力される、請求項１６に記載のコンピュータ可読媒体。
【請求項１８】
前記認証情報は、前記テレビと通信するリモートコントロールを用いて、前記テレビを通じて前記ユーザにより入力される、請求項１７に記載のコンピュータ可読媒体。
【請求項１９】
サービスプロバイダと関連するサーバの１つ以上のプロセッサにより実行される場合に、
テレビ上に存在するインセンティブを請求するための要求をネットワークを介して前記テレビから受信し、
前記テレビを通じてユーザにより入力された前記ユーザの認証情報を受信し、
受信した前記ユーザの認証情報が前記サービスプロバイダと関連するユーザの認証情報に一致した場合に前記サービスプロバイダと関連するユーザアカウントに前記インセンティブを格納すること
を含む方法を前記サーバに実行させる命令を含む、コンピュータ可読媒体。
【請求項２０】
前記ユーザアカウントと関連するデジタルウォレットに前記インセンティブを格納することを更に含み、ユーザの認証情報を受信することは、前記テレビと通信するリモートコントロールを用いて前記ユーザにより入力されたユーザの認証情報を受信することを含む、請求項１９に記載のコンピュータ可読媒体。
【手続補正２】
【補正対象書類名】明細書
【補正対象項目名】０００７
【補正方法】変更
【補正の内容】
【０００７】
幾つかの実施形態と調和して、システムが提供される。システムは、ユーザがテレビ上で見たインセンティブであるインセンティブをユーザアカウントと関連するデジタルウォレットに格納するための要求の受信に応じて認証要求を準備し、認証応答が成功した場合にインセンティブをデジタルウォレットに格納するように構成された１つ以上のプロセッサを含む。システムはまた、ネットワークを介して、認証要求を送信し、インセンティブ及び認証応答を格納するための要求を受信するように構成されたネットワークインタフェースコンポーネントと、ユーザと関連するデジタルウォレットを格納するメモリとを含む。
【手続補正３】
【補正対象書類名】明細書
【補正対象項目名】００１５
【補正方法】変更
【補正の内容】
【００１５】
クライアントコンピューティングデバイス１０２は、１つ以上のプロセッサを有し該１つ以上のプロセッサによる実行用の有形の非一時的機械可読媒体上に格納された命令を読み出す能力がある、ハードウェア及び／又はソフトウェアの任意の適切な組合せを含んでもよい。幾つかの実施形態と調和して、クライアントコンピューティングデバイス１０２は、特定のタスクをクライアントコンピューティングデバイス１０２に実行させるための１つ以上のプロセッサ（図示せず）による実行用の命令を含むメモリ（図示せず）といった、機械可読媒体を含む。幾つかの実施形態では、命令は、ユーザ１１４によるやり取りに応じて１つ以上のプロセッサにより実行されてもよい。命令は、インターネットを閲覧し、ネットワークテレビ１０６、リモートサーバ１０４、及びその他のサーバとやり取りするためのアプリケーションを含んでもよい。命令は、商品及びサービスに対する支払いであってリモートサーバ１０４により処理される支払いのためのアプリケーションを更に含んでもよい。クライアントコンピューティングデバイス１０２は、ユーザアカウントについてリモートサーバ１０４とアクセスすることを含む、ユーザ１１４が利用可能な追加の機能を提供するための１つ以上の実施形態で望まれ得るようなその他のアプリケーションを更に含んでもよい。例えば、アプリケーションは、ユーザが、情報をネットワーク１１０を通じてリモートサーバ１０４及びその他のオンラインサイトへ送受信できるインタフェース及び通信プロトコルを含んでもよい。その他のアプリケーションはまた、クライアント側のセキュリティ機能用のセキュリティアプリケーション、ネットワーク１１０を介した適切なＡＰＩとのインタフェース用のプログラム的ユーザアプリケーション、又はその他各種の一般的に知られたプログラム若しくはアプリケーションを含んでもよい。
【手続補正４】
【補正対象書類名】明細書
【補正対象項目名】００１６
【補正方法】変更
【補正の内容】
【００１６】
リモートサーバ１０４は、カリフォルニア、サンホセのｅＢｅｙ  Ｉｎｃ．といったオンライン市場を提供するプロバイダにより、又はカリフォルニア、サンホセのＰａｙＰａｌといったオンライン支払い処理プロバイダにより維持されてもよい。リモートサーバ１０４は、インセンティブアプリケーション１１８及び認証アプリケーション１２０を含んでもよい。幾つかの実施形態では、インセンティブアプリケーション１１８は、ネットワークテレビ上に表示されたインセンティブをユーザ１１４と関連するデジタルウォレットに格納するための要求をリモートサーバ１０４に受信させ得る命令を含んでもよい。更に、インセンティブアプリケーション１１８は、ネットワークテレビ１０６によりリモートサーバ１０４に提供される情報からインセンティブの細部を判定するための命令を含んでもよく、該情報は、インセンティブと関連するプログラミングメタデータ、ハイパーリンク、若しくはユニフォームリソースロケータ（ＵＲＬ）、又は表示されたインセンティブのスクリーンショット若しくはその他の画像を含む。認証アプリケーション１２０は、リモートサーバ１０４に認証要求を送信させ認証応答が成功したか否かを判定させ得る命令を含んでもよい。
【手続補正５】
【補正対象書類名】明細書
【補正対象項目名】００１７
【補正方法】変更
【補正の内容】
【００１７】
リモートサーバ１０４は、ユーザ１１４といった、リモートサーバ１０４上にアカウントを有するユーザに対するアカウント情報１２４を含むアカウントデータベース１２２を更に含んでもよい。アカウントデータベース１２２中のアカウント情報１２４は、ユーザ１１４と関連するデジタルウォレットと共に、認証応答が成功したか否かを判定するために認証アプリケーション１２０により用いられ得るユーザクレデンシャルをも含んでもよい。リモートサーバ１０４は、その他の機能を提供するその他のアプリケーションを含んでもよい。幾つかの実施形態では、リモートサーバ１０４は、ユーザ１１４が、リモートサーバ１０４により提供されるプロバイダと関連するデジタルウォレットにインセンティブを格納でき、リモートサーバ１０４により処理されるトランザクションを実行する場合にインセンティブをその後使用、引き換え、及び又は適用できるようにしてもよい。
【手続補正６】
【補正対象書類名】明細書
【補正対象項目名】００１９
【補正方法】変更
【補正の内容】
【００１９】
幾つかの実施形態では、コンテンツ１２８は、コンテンツプロバイダ１１２から及び／又はネットワーク１１０を介してコンテンツサーバ（図示せず）から受信されてもよい。インセンティブ１３０は、コンテンツ１２８上にオーバレイされてもよい。幾つかの実施形態では、コンテンツプロバイダ１１２は、広告、提供、又はその他のインセンティブをインセンティブサーバ１０８から受信してもよく、受信したコンテンツ１２８及びインセンティブ１３０を表示するための命令をコンテンツ配信アプリケーション１３８が含み得る場合には、ネットワークテレビ１０６に提供されるコンテンツ中にこれらのインセンティブを挿入してもよい。幾つかの実施形態では、インセンティブを要求及び受信し、ユーザ１１４に表示するために、受信したインセンティブをコンテンツ１２８上にその後オーバレイするための命令をインセンティブアプリケーション１３６が含み得るように、ネットワークテレビ１０６は、インセンティブをネットワーク１１０を介してインセンティブサーバ１０８から受信してもよい。幾つかの実施形態では、ネットワークテレビ１０６が１つ以上のメタデータタグを検出し、対応するインセンティブを表示し得るように、コンテンツ１２８は、インセンティブに対応し得るこれらのメタデータタグを含んでもよい。インセンティブ１３０及び／又はコンテンツ１２８は、インセンティブ１３０の細部を判定するためにインセンティブアプリケーション１３６により解析され得る関連するメタデータを含んでもよい。幾つかの実施形態では、ユーザ１１４がインセンティブ１３０を請求し得、又はインセンティブと関連する更なる情報を習得し得るように、インセンティブ１３０は、ユーザ１１４に表示され得るハイパーリンク又はＵＲＬを含んでもよい。そうした実施形態では、インセンティブアプリケーション１３６は、ハイパーリンク又はＵＲＬを介して請求するための、又はＵＲＬ又はハイパーリンクからインセンティブの細部を獲得するための命令を含んでもよい。幾つかの実施形態では、インセンティブアプリケーション１３６には、インセンティブ１３０の画像を取得し、取得した画像をインセンティブの細部について分析する能力があってもよい。
【手続補正７】
【補正対象書類名】明細書
【補正対象項目名】００２０
【補正方法】変更
【補正の内容】
【００２０】
幾つかの実施形態では、ユーザ１１４は、ネットワークテレビ１０６上に表示されたインセンティブ１３０を請求することや、リモートサーバ１０４のアカウント情報１２４に格納されたアカウントと関連するデジタルウォレットにインセンティブ１３０を追加させることを欲し得る。インセンティブ１３０をネットワークテレビ１０６から選択し、ユーザがインセンティブをそのデジタルウォレットに追加したいことを示すために、ユーザ１１４はリモートコントロール１１６を使用してもよい。リモートコントロール１１６に加えて、ユーザ１１４は、ネットワークテレビ１０６と直接通信し得るかネットワーク１１０を介してネットワークテレビ１０６と通信し得るクライアントコンピューティングデバイス１０２を用いて、表示されたインセンティブ１３０を選択できてもよい。ネットワークテレビ１０６がタッチスクリーンを含む場合には、ユーザ１１４は、タッチスクリーンを用いてインセンティブを選択できてもよい。ユーザ１１４は、以下により詳細に説明するように、インセンティブ１３０をデジタルウォレットに追加するために、ネットワークテレビ１０６を通じてリモートサーバ１０４との認証をその後行うことができてもよい。
【手続補正８】
【補正対象書類名】明細書
【補正対象項目名】００２４
【補正方法】変更
【補正の内容】
【００２４】
コンピューティングシステム２００は、コンピューティングシステム２００の位置を測定するための位置コンポーネント２１６を更に含んでもよい。幾つかの実施形態では、位置コンポーネント２１６は、１つ以上のＧＰＳ衛星と通信するＧＰＳトランシーバに対応してもよい。他の実施形態では、位置コンポーネント２１６は、インターネットプロトコル（ＩＰ）アドレス探索を用いることにより、又は近隣の電気通信塔若しくは無線アクセスポイント（ＷＡＰ）に基づく位置の測量により、コンピューティングシステム２００の位置を測定するように構成されてもよい。位置コンポーネント２１６は、コンピューティングシステム２００の位置を特定する目的で第三者に送信され得るユーザ規定位置をメモリコンポーネント２０８に格納するように更に構成されてもよい。コンピューティングシステム２００はセンサコンポーネント２１８をも含んでもよい。センサコンポーネント２１８は、センサ機能を提供し、クライアントコンピューティングデバイス１０２に組み込まれたセンサ、又はクライアントコンピューティングデバイス１０２に結合されたセンサ周辺装置に対応してもよい。センサコンポーネント２１８は、クライアントコンピューティングデバイス１０２を用いてユーザ１１４が実行する任意の行動と関連し得るユーザ１１４及び／又はクライアントコンピューティングデバイス１０２に関係する情報を取り込む任意の知覚装置を含んでもよい。センサコンポーネント２１８は、カメラ及び画像化コンポーネント、加速度計、バイオメトリクスリーダ、ＧＰＳ装置、モーションキャプチャ装置、並びにクライアントコンピューティングデバイス１０２若しくはユーザ１１４又はそれらの周辺の環境についての情報を提供する能力があるその他の装置を含んでもよい。コンピューティングシステム２００は、１つ以上の無線トランシーバ２２０をも含んでもよく、該１つ以上の無線トランシーバ２２０は、Ｗｉ−Ｆｉ（登録商標）、３Ｇ、４Ｇ、ＬＴＥ、ＲＦ、ＮＦＣ、ＩＥＥＥ８０２．１１ａ、ｂ、ｇ、ｎ、ａｃ、若しくはａｄ、Ｂｌｕｅｔｏｏｔｈ（登録商標）、ＢＬＥ、ＷｉＭＡＸ、ＺｉｇＢｅｅ（登録商標）、ＡＮＴ、又はＡＮＴ＋といった１つ以上の無線ネットワークプロトコルに従って情報を送受信する能力がある、分離可能であるか統合されたアンテナを夫々含んでもよい。
【手続補正９】
【補正対象書類名】明細書
【補正対象項目名】００２７
【補正方法】変更
【補正の内容】
【００２７】
図３Ａ〜３Ｃは、幾つかの実施形態と調和して、ユーザと関連するデジタルウォレットに追加するためにネットワークテレビ１０６上に表示されたインセンティブ１３０をユーザ１１４が選択する一例を示す図である。図３Ａに示すように、ネットワークテレビ１０６は、コンテンツプロバイダ１１２から又はネットワーク１１０から受信したコンテンツ１２８を表示してもよい。インセンティブ１３０は、インセンティブサーバ１０８から又はネットワーク１１０から受信されてもよく、コンテンツ１２８にオーバレイされて又はコンテンツ１２８の一部として表示されてもよい。ユーザ１１４は、インセンティブ１３０を請求することや、ユーザ１１４と関連するデジタルウォレット又はその他のオンラインアカウントにインセンティブ１３０を追加することを欲し得る。例えば、インセンティブ１３０を選択し、ユーザ１１４と関連するデジタルウォレット又はその他のアカウントにインセンティブ１３０を追加することを要求するために、ユーザ１１４は、リモートコントロール１１６をその後使用してもよい。幾つかの実施形態では、ユーザ１１４と関連するデジタルウォレット又はその他のアカウントにインセンティブ１３０を追加することをユーザ１１４が要求する場合、ネットワークテレビ１０６は、要求をネットワーク１１０を介して、デジタルウォレット又はその他のアカウントを提供し得るリモートサーバ１０４に送信してもよい。リモートサーバ１０４は、認証要求をネットワークテレビ１０６にその後送信してもよい。
【手続補正１０】
【補正対象書類名】明細書
【補正対象項目名】００２８
【補正方法】変更
【補正の内容】
【００２８】
図３Ｂに示すように、ネットワークテレビ１０６が認証要求をリモートサーバ１０４から受信した場合、ネットワークテレビ１０６の認証アプリケーション１３４は、ユーザ１１４に認証インタフェース３００を表示するための命令を含んでもよい。幾つかの実施形態では、認証インタフェース３００は、ユーザ名入力フィールド３０２及びパスワード入力フィールド３０４を含んでもよい。概ねクレデンシャルは、その他の実施形態では認証インタフェース３００に含まれてもよい。幾つかの実施形態では、ユーザ１１４がアカウントと連携又は別の方法で関連付けられると、個人識別番号（ＰＩＮ）といった安全性が低いクレデンシャルであり得る、ネットワークテレビ１０６と関連するアカウント用の入力フィールドを認証インタフェース３００が表示し得るように、ユーザ１１４は、リモートサーバ１０４とのアカウントをネットワークテレビ１０６と関連するアカウントと結び付けてもよい。認証インタフェース３００は、ユーザネーム、パスワード、又はその他のクレデンシャルを入力する場合に使用するためのユーザ１１４用に仮想キーボード３０６をも含んでもよい。幾つかの実施形態では、ユーザ１１４は、仮想キーボード３０６のキーを選択してキーボード３０６からフィールド３０２及び３０４中に文字や数字を入力するために、リモートコントロール１１６を使用できてもよい。ネットワークテレビ１０６がタッチスクリーンを含む実施形態では、ユーザ１１４は、仮想キーボード３０６の個々のキーに触れてフィールド３０２及び３０４中にクレデンシャルを入力できてもよい。
【手続補正１１】
【補正対象書類名】明細書
【補正対象項目名】００３４
【補正方法】変更
【補正の内容】
【００３４】
リモートサーバ１０４が、インセンティブ１３０を格納するための要求をネットワークテレビ１０６から受信するか、別の方法としてインセンティブ１３０を格納することに対する関心を示すメッセージを受信した場合、リモートサーバ１０４は、認証要求をネットワークテレビ１０６に送信してもよい（５０４）。幾つかの実施形態では、ネットワークテレビ１０６は、認証の細部を提供するために認証インタフェース３００をユーザ１１４に表示するための命令を含み得る認証アプリケーション１３４を含んでもよい。リモートサーバ１０４は、認証応答をその後受信してもよい（５０６）。幾つかの実施形態では、ネットワークテレビ１０６により表示された認証インタフェース３００中にユーザ１１４により入力された認証の細部は、認証応答においてリモートサーバ１０４に送信されてもよい。幾つかの実施形態では、ユーザは、リモートコントロール１１６、クライアントコンピューティングデバイス１０２を用いて、又は利用可能であればタッチスクリーンを通じて、認証の細部を認証インタフェース３００に入力してもよい。
【手続補正１２】
【補正対象書類名】図面
【補正対象項目名】図３Ｂ
【補正方法】変更
【補正の内容】
【図３Ｂ】
2016524199.tif 000011
【国際調査報告】
2016524199.tif 000012